(57)【要約】【課題】いわゆる未病状態の認識を生活者に正確にかつ広く伝え、未病医療、未病情報の正確、スムーズな送受信で重症の病気に至らずに未病の状態で改善させ、さらには身体の仕組みや病気の仕組みも学ぶことができ、もって健康状態に戻し、その状態を維持することのできるネットワークを構築できることとなる。【解決手段】未病対象者用の未病情報を生成する未病情報生成部と、未病情報を送受信する未病情報送受信部と、医療運営システムを構築する未病治療運営システム構築部とを有する未病対策集中処理部と、健康機器及び健康製品に関する情報を送受信する健康製品情報送受信端末と、健康サプリメント及び健康食品に関する情報を送受信する健康食品情報送受信端末と、未病医療のシステム運営を行う未病クリニック用端末と、未病対策集中処理部から選別された医療機関を未病クリニックとして認定する未病認定部用端末とを備えたことを特徴とする。  【選択図】              図１
2007172309.tif 000002
【特許請求の範囲】
【請求項１】
未病対象者用の未病情報を生成する未病情報生成部と、生成された未病情報を送受信する未病情報送受信部と、未病の検査、チェック、指導、ケアの医療運営システムを構築する未病治療運営システム構築部と、を有する未病対策集中処理部と、
未病対策集中処理部に対し健康機器及び健康製品に関する情報を送受信する健康製品情報送受信端末と、
未病対策集中処理部に対し健康サプリメント及び健康食品に関する情報を送受信する健康食品情報送受信端末と、
前記構築された未病治療運営システムを導入し、未病医療のシステム運営を行う未病クリニック用端末と、
前記未病対策集中処理部から選別された医療機関を未病クリニックとして認定する未病認定部用端末と、
を備えたことを特徴とする未病医療ネットワークシステム。
【発明の詳細な説明】
【技術分野】
【０００１】
本発明は、いわゆる未病対象者、例えば、自覚症状はないが検査では異常が発見された人、あるいは自覚症状はあるが検査では異常が発見されない人、すなわち病気の状態に近づいてはいるが未だ病気ではないという過程で、体が発しているある種の警告状態を有する人、すなわち未病患者に関する未病医療ネットワークシステムに関するものである。
【背景技術】
【０００２】
例えば、従来の一般的な医療検査を受診すると、検査を行った種目につき、異常値が発見されるが、自覚症状がない、または自覚症状はあるが検査値には現れないことがある。
また、このような検査を行った種目につき、異常値が発見されるが、自覚症状のない状態を長い間放置しておくと必ず病気に結びつく病名が一般に知られている。
例えば、軽症高血圧、境界域糖尿病、肥満、B型肝炎などが挙げられ、将来の医療状況を考慮すると、この未病時期でのコントロールをどのように推進、発展させるかがダイレクトに将来の医療費軽減にもつながることとなる。  
未病状態、換言すれば未病状態の認識を生活者に正確にかつ広く伝えること、すなわち未病医療、未病情報の正確、スムーズな送受信は、重症の病気に至らずに未病の状態で改善させ、さらには身体の仕組みや病気の仕組みも学ぶことができ、もって健康状態に戻していくことにもなり、従って未病医療が２１世紀の先端医療と言われる所以でもある。
【０００３】
ところで、特開２００５−４７９０号公報には、複数の医療関連施設に各々設置されている複数の施設処理装置と、この施設処理装置に双方向通信ネットワークを介して医療情報提供あるいは取得するシステムが記載されている。
【０００４】
しかしながら、前記のシステムは医療情報提供あるいは取得するシステムではあるが、いわゆる未病状態の認識を生活者に正確にかつ広く伝えること、すなわち未病医療、未病情報の正確、スムーズな送受信が、重症の病気に至らずに未病の状態で改善させ、さらには身体の仕組みや病気の仕組みも学ぶことができ、もって健康状態に戻していく、または維持していくネットワークを構築するものではなかった。
【特許文献１】特開２００５−４７９０号公報  図１
【発明の開示】
【発明が解決しようとする課題】
【０００５】
かくして、本発明は前記従来の課題に対処するために創案されたものであり、いわゆる未病状態の認識を生活者に正確にかつ広く伝え、未病医療、未病情報の正確、スムーズな送受信で重症の病気に至らずに未病の状態で改善させ、さらには身体の仕組みや病気の仕組みも学ぶことができ、もって健康状態に戻し、その状態を維持することのできるネットワークを構築できることとなる。
【課題を解決するための手段】
【０００６】
本発明による未病医療ネットワークシステムは、
未病対象者用の未病情報を生成する未病情報生成部と、生成された未病情報を送受信する未病情報送受信部と、未病の検査、チェック、指導、ケアのシステムを構築する未病システム構築部と、を有する未病対策集中処理部と、
未病対策集中処理部に対し健康機器及び健康製品情報を送受信する医療機器メーカーと、
未病対策集中処理部に対し健康サプリメント及び健康食品情報を送受信する健康フードメーカーと、
前記構築された未病システムを導入し、システム運営する医療機関と、
未病対象者を認定し、前記未病対策集中処理部から送受信された医療機関に前記未病認定者を紹介する未病認定部と、
を備えたことを特徴とするものである。
【発明の効果】
【０００７】
本発明による未病医療ネットワークシステムによれば、いわゆる未病状態の認識を生活者に正確にかつ広く伝え、未病医療、未病情報の正確、スムーズな送受信で重症の病気に至らずに未病の状態で改善させ、さらには身体の仕組みや病気の仕組みも学ぶことができ、もって健康状態に戻し、その健康状態を維持するネットワークを構築することができる効果を奏するものである。
【発明を実施するための最良の形態】
【０００８】
２１世紀に入り「何かに頼る、何かに守られる」などで象徴される受け身的日本文化は崩壊し、一般の生活者、特に高齢者にとっては厳しい社会環境の時代が続いている。
さらに、現代はいわゆるＩＴ機器や携帯電話などにより送受信される情報も多く、かつその情報送受信もきわめて高速化しており、前述した受け身的日本文化の主体者では取り残される可能性が指摘されている。
この厳しい時代状況において、一般の生活者には何が一番重要なのだろうか。それは「健康」、しかも「長期に安定した健康」に他ならない。「からだ」がいつも元気でなければ、楽しい生活は望めない。医療費も年々増加の一途をたどり、将来における健康保険制度や介護保険制度の円滑な維持運営が危惧されているのである。
かくして、本発明による未病医療ネットワークシステムはセルフメディケーション（自分のからだは自分で守る）をテーマに展開されるシステムの構築を目的としたものである。
「未病」との言葉は約２千年前の中国後漢の時代、「黄帝内経」という書物に初めて現われている。「黄帝内経」は科学一般の教科書であり、基本は古代哲学である陰陽思想と五行論理を中心居思想として展開されている。
「未病」との字が示すように、「未病」とは「未だ病にあらず」という状態を指し、黄帝内経では「聖人は己の病気を治さずして未病を治す」などの文章の中で「未病」との語が見られる。
当時の医療技術におけるレベルより察して、そもそも未病中心となるものは、陰陽五行説に基づく種々の成人病の生薬療法、それに不老長寿の心得なるものと推察される。
それを現代に当てはめることで、２１世紀の医療へ多大な活用ができるとも思われる。現在の「未病医学」は東洋的な未病を西洋医学的アプローチで、現代的治療法として研究がなされている。未病の状態を知り、健康な状態に戻して行くことが２１世紀の先進医療といえるのである。
「未病」とは具体的になにを指すのか。例えば、前述のごとく「検査をすれば異常があるが自覚症状の無い状態の時期で、放置するとかならず病気になってしまう」というのが「未病」の一つの定義ともいえる。この「未病」の実態としては、例えばメタボリックシンドローム、軽症高血圧、境界域糖尿病、高脂血症、高尿酸血症、肥満、脂肪肝、シンドローム、Ｂ型肝炎、肝炎キャリア、ＨＩＶ陽性、無症候性脳梗塞などが該当し、これに、遺伝子病も範囲内となる。
将来の医療経済状況を熟慮すると、この「未病」時期のコントロールが医療費軽減に大きくつながるといえる。
重症の病気に至らずに「未病」の状態から「健康状態」に改善させるには、身体の仕組みや病気の仕組みも学び、「病気」状態は医師が担当して治療し、「未病」状態での改善は「自分が担当医」となって治すことが理想だと思われる。
この「未病」に関するあらゆる事柄の認識を一般の生活者に広く伝え、未病医療の推進と未病情報を送受信するのが、本システムの重要な責務となっている。
今後、「未病」という概念と言葉は、今後社会に広く普及させなくてはならない。この普及活動には、メディア・ＩＴ・フォーラム・シンポジュームなどを通して行い、また各医療機関と密接に協力提携し、未病医療の普及に活動の輪を広げていくのである。
また、「未病」は、前記した一般の生活者だけではなく企業や医療機関をも未病対策運営システムを取り入れ、新しいイノベーションとして、また新マーケットを構築する中心ファクターとして、さまざまな分野とのコラボレーションを考え、広げていかなければならない。
そして、病気、健康、特に「未病」に関して、アンケートやモニター調査、学術データを収集して生活者や企業・医療従事者向けに情報を発信、あるいは送受信するのも大きな仕事となる。そして、この情報を元にさまざまな活動が期待できる。
さらに、「未病対策運営システム」を取り入れた先進医療のネットワークを各医療機関や各医療従事者の協力によって生成、構築し、未病状態の生活者をケアしていけるシステムとするのである。
ここで、未病対策運営システムに従事する人の人材育成が行えるのも本システムの特徴である。すなわち、本システムを通じて、医療従事者・企業などの方々へ「未病対策運営システム」の知識を学習してもらい２１世紀の先進医療への多大な活用ができるようするのである。
また、「本システム」によって未病という概念や意味合いをインターネットや新聞、テレビ、雑誌などマスメディアを通じて生活者に伝え、本格的な病気になる前にケアを行なうことや健康な状態を維持していくことなど「自分のカラダは自分で守る」大切さを理解してもらい、ひいては医療費の増加問題、健康保険制度の円滑維持など重病に至る前にケアをする未病医療を普及させるのである。
以下、本発明による未病医療ネットワークシステムにつき図を参照して説明する。
符号１は、未病対策集中処理部を示し、該未病対策集中処理部１は未病対象者用に未病情報２を生成する未病情報生成部３と、生成された未病情報２を送受信する未病情報送受信部４と、未病の検査、チェック、未病患者に対する指導、ケアなど未病医療に関する運営システムを構築する未病医療運営システム構築部５とを有している。
ここで、当該未病対策集中処理部１は、例えば、ＮＰＯ法人として立ち上げられた未病リサーチスクエアー協会の所有するサーバコンピュータなどが該当する。この未病対策集中処理部１であるサーバコンピュータは送信部１１、受信部１２、ＣＰＵなどで構成された制御部１３、ハードディスクなどの記録保存部１４、ディスプレイなどの表示部１５、キーボードなどの入力部１６などで構成されており、前記未病情報生成部３や未病医療運営システム構築部５などの動作は前記制御部１３及び記録保存部１４などにより行われる。
次に、この未病対策集中処理部１に対し健康機器及び健康製品情報を送受信するのは医療機器メーカー内に設置された健康製品情報送受信端末７である。
当該健康製品情報送受信端末７においても、送信部１１、受信部１２、ＣＰＵなどで構成された制御部１３、ハードディスクなどの記録保存部１４、ディスプレイなどの表示部１５、キーボードなどの入力部１６などで構成されており、前記未病対策集中処理部１の構成とほぼ同様の構成をなしている。
未病対策集中処理部１には医療機器メーカーの有する前記健康製品送受信端末７より健康医療機器に関する情報が送受信され、該情報は通信回線網、インターネット１７を介して未病集中処理部１内に入力、保存される。
また、未病対策集中処理部１からも医療機器メーカーの有する健康製品送受信端末７に対し、健康医療機器に関する情報、例えば開発、提案が要請されている医療機器の情報などが送受信され、該情報は通信回線網、インターネット１７を介して前記健康製品端末７内へ入力、保存される。
新開発が要望される健康製品の情報も重要な未病情報であり、このような未病情報は健康製品送受信端末７と未病対策集中処理部１との間で送受信され、生成、更新される。
さらに、健康製品情報送受信端末７を有する医療機器メーカーには、該健康製品情報送受信端末７を介し、未病対策集中処理部１から未病に関する機器などについて推薦されることがあり、前記推薦された場合には未病リサーチスクエア協会の取り組む「未病医療促進」の賛助会員として、後述する未病の知識を有する「未病クリニック」「未病ドッグ」と共に未病医療に積極的取り組んでもらうこととなる。
また、通信回線網、インターネット１７を介しネット上で未病フォーラム他、生活者に役立つイベントの主催をも行う。
さらに、未病対策集中処理部１（未病リサーチスクエア協会）の活動趣旨を理解し、やはり前述のネット上において未病の概念および啓蒙普及活動を行う。
このように、未病という立場から社会一般の健康増進活動に寄与する機器、器具を研究開発し、前述のネット上において普及をはかり、そのため、ネット上で未病に関する情報収集に積極的に参加し、その情報を速やかに開示・公表を行うこととなる。
ここで、ネット上における医療機器メーカーの活動例を挙げると、
通信ダイエット講座    通信教育により科学的ダイエット講座（医科）
血流視察システム      毛細血管 ・動脈硬化の視察  （医科・歯科）
ＭＣＦＡＮ            血流測定・血液さらさら検査  （医科）
口腔年齢測定          口腔年齢のチェックソフトの開発（歯科）
爪分析                ミネラルのバランス・有害ミネラルの検査（医科・歯科）
食事分析指導          状態にあわせた最適な食事内容の指導（医科・歯科）
などがある。
また、未病対策集中処理部１に対し健康サプリメント及び健康食品情報を送受信するのは健康フードメーカーの健康食品情報送受信端末８である。
ここで、健康食品情報には、主に、機能性食品や特定保健用食品などの健康食品情報が該当する。
該健康フードメーカーの健康食品情報送受信端末８の構成も、送信部１１、受信部１２、ＣＰＵなどで構成された制御部１３、ハードディスクなどの記録保存部１４、ディスプレイなどの表示部１５、キーボードなどの入力部１６などで、前記未病対策集中処理部１及び医療機器メーカー内の健康製品情報送受信端末７の構成と同様といえる。
健康フードメーカーの有する健康食品情報送受信端末８からも未病対策集中処理部１に対し、随時、健康サプリメント情報あるいは健康食品情報が送受信されており、該情報は通信回線網、インターネット１７を介して送信され、前記未病集中処理部１内に入力、保存されるものとなる。
【０００９】
そして、未病集中処理部１からも随時、クライアントあるいは医療機関などから要望された健康サプリメント情報あるいは健康食品情報が健康食品送受新端末８へ送受信されており、該情報は通信回線網、インターネット１７を介して健康フードメーカーの有する健康食品情報送受信端末８内に入力、保存されるものとなっている。
未病対策用に新開発が要望される健康食品あるいはサプリメント情報もやはり重要な未病情報であり、このような未病情報も健康食品情報送受信端末８と未病対策集中処理部１との間で送受信され、生成、更新されるものとなっている。
複数の医療機関に設置された未病クリニック用端末９も通信回線網、インターネット１７などネットワークを介して未病対策集中処理部１と接続されており、該ネットワークを通じて、未病対策集中処理部１によって構築された未病治療運営システム及びその最新更新データまた、各種の未病情報が当該未病クリニック用端末９に送信される。
また、符号１０は未病対策集中処理部１などより紹介のあった医療機関に対し、該医療機関を「未病クリニック」対象機関に認定するなどの動作を行う未病認定部用端末である。
ここで、本発明のシステム動作概略につき説明すると、未病対策集中処理部１では、未病情報生成部３により各種の未病情報２が生成され、また更新される。
前記した健康製品あるいは健康食品情報以外での生成、更新される未病情報２の一例を挙げると、医療機関「未病クリニック」によって、未病状態を把握のため行われる検査項目、検査内容データの生成、更新などがあげられる。
この未病状態を把握するための検査項目、検査内容データの生成は、まず、患者の負担を考慮して、その検査項目、検査内容が容易かつ短時間で終えられるものとする。また、検査項目、検査内容が患者にわかりやすいものとする。
さらに、検査項目、検査内容によって健康状態の把握、認識も可能で、未病状態の場合に放置する重病経過推察も可能なものとする。
それに伴い未病担当医によるケアも可能なもの、すなわち担当医師が未病手帳を作成し、患者にこの未病手帳を手渡して現状と１ヶ月、３ヶ月後等の経過を見ながら改善し、未病状態から健康状態に引き戻セルものとする。
上記のような事項が考慮されて検査項目、検査内容データが生成され、さらに更新される。
【００１０】
しかして、前記検査項目、検査内容データの生成、更新に当たっては、図１から理解されるように、各「未病クリニック」における現場の担当医師等の意見、考え方が反映され、該反映されたプログラムあるいは情報データが最新のデータとなって、未病クリニック用端末９を介して未病情報生成部３に迅速に送受信されるよう構成されている。
【００１１】
よって、本システムでは、常に現場医療の先端に位置した生の、かつ最新の情報を網羅したプログラムあるいは情報データが提供できる。
【００１２】
ここで、一例として未病状態把握のための検査項目データ、検査内容データとしては以下のものがあげられ。
（１）  血管年齢の測定（加速度脈波）  とくに疾患が見あたらないが、血管年齢の測定実年齢より１０歳以上も上回る場合は未病指導が行われる。
（２）血液さらさら検査（血液流動性測定装置）によって血液の状態をチェックする。血中の脂質、糖質、タンパク質が状態によって変わり赤血球・白血球・血小板が変化する。これによって血栓をつくる原因や動脈硬化を引きおこすことを血流画像によって患者に説明すると危機感をもち、良い改善状態になるよう指導とケアがなされる。
（３）酸化ストレスの測定（活性酸素・フリーラジカル分析装置）この検査によって上記検査と連動した評価ができる。また患者がとくに疾患がない場合でも、異常にストレスが高い場合には経過観察と指導・ケアを行う。
【００１３】
また、ストレス度が高いと何らかの臓器（循環器・呼吸器・消化器）に疾患があることも考えられ、この場合は精密検査を行う。
（４）血管状態の視察（毛細血管視察システム）指先の毛細血管を見ることによって、血液の流れや速度が見られる。よって、これにより病態、動脈硬化の発見材料にもなる。毛細血管は画面に映し出し、患者と共に見ることができるので血管画像をみて状態を説明したり、今後の危険性の指摘や指導を行う。
（５）エコー検査（脂肪肝・肥満などの視察に使用）体脂肪の測定検査
（６）爪分析によるミネラルバランスの検査  半年間のミネラル・有害ミネラルをチェック。食事療法やサプリメント指導のガイドラインとなる。これらのデータは生活者にも確認できるようにし、「ＮＲ」などがサプリメントや健康食品の指導を行う。
（７）いわゆる「未病ドック」の設置  ＣＴ  ＭＲＩ  ＭＲＡ  ＰＥＴ  などや人間ドックのプログラムに未病クリニックのプログラムを取り入れ、通常の軽度異常の視察・指導から、動脈硬化・脳血栓やガンの早期発見を行う。
【００１４】
検査項目、検査内容データとして、例えばこれらの事項が随時現場において検討され、未病クリニック用端末９からの意見の反映、学習を行いながら各種の未病情報が未病対策集中処理部１において生成、かつ更新されるものとなる。
【００１５】
未病対策集中処理部１では各医療機関に対し、未病医療の導入に関する啓蒙は、例えばインターネット上にサイトを立ち上げ、情報公開することなどにより行われており、前記啓蒙趣旨に賛同し、いわゆる「未病クリニック」に対応希望の医療機関は、前記未病対策集中処理部１に対し、「未病クリニック」に対応希望の情報が送信できる様構成されている。
【００１６】
そして、前記希望する旨が未病対策集中処理部１で受信されると、未病対策集中処理部１、すなわち未病治療運営システム構築部５で構築、生成された各種の未病情報２及び未病治療運営システムの導入プログラムが前記の医療機関に送信され、該医療機関では「未病クリニック」として認定されて未病治療運営システムの構築が行われ、その後具体的な未病クリニックとしての未病医療が開始されることになる。
【００１７】
さらに、「未病クリニック」として対応医療機関とされたときは、前記未病対策集中処理部１より外来未病クランケ向けの未病ポスター、未病パンフレットなどが配布される。
【００１８】
また、前記未病治療運営システムのプログラム導入、構築に際し、過去すでに導入、構築された具体的な「未病クリニック」あるいは該未病クリニックの医師を紹介し、彼らよりその後の具体的なアドバイスが的確に行われるよう構成されている。
【００１９】
ところで、図１から理解されるように、多数の未病認定部用端末１０が通信回線、インターネット１７を介して未病対策集中処理部１及び未病クリニック用端末９と送受信可能とされており、医療機関が前記「未病クリニック」としての対応医療機関とされた場合には、さらに未病対策集中処理部１（例えばＮＰＯ法人の未病リサーチスクエア協会）と前記「未病クリニック」との間では、協会として行う協会推薦及び協会認定の取得有無の送受信が行われる。そして、この際には前記未病認定部用端末１０が重要な機能を果たす。すなわち、未病認定部用端末１０側には、該端末１０を有する、例えば日本未病システム学会なる機関があり、該機関では多数の未病医療指導医あるいは未病医療指導士が未病医療に従事できるよう待機している。これらの従事者を総称して「未病システム学会会員」とされる。
【００２０】
そして、これら「未病システム学会会員」の在籍がある「未病クリニック」が前記未病リサーチスクエア協会としての協会推薦及び協会認定の取得ができるものとされるのである。
【００２１】
ここで、「未病クリニック」は、生活者に対する未病の検査、チェック、指導、視察、経過をみながらの指導を行うものであり、換言すれば該「未病クリニック」は一般の生活者が大きな病気にならないための先進医療クリニックといえることとなる。
【００２２】
前述の通り、未病クリニックでの検査項目・検査内容は簡単で短時間に終えられるもの、患者さんに負担が少ないことがメリットで、検査内容が患者に解りやすいことや健康状態がどんなものなのか、未病の状態の場合に放置する重病経過視察とケアなどを担当医が行うものとなっている。
【００２３】
そこで、患者は「未病カルテ」を未病クリニックの医師に作成してもらい、今の状態と１ヶ月、３ヶ月、半年、１年、経過を見ながら改善し、未病から健康な状態に引き戻しいつまでも元気な生活が送れるよう治療を行うのである。
その診断内容と指導としては、問診・各種検査・所見・経過視察・指導＋運動療法、食事療法、サプリメントなどがあげられる。
【００２４】
食事は受診者の結果にあった食事メニューの指導や宅配業者から届けるシステムが採用される。またサプリメントはオーダーメードのサプリメント（ＥＢＭあり・安全性の高い物）を提案する。
ケアシステムについては未病対策集中処理部１との相談の上、決定される。
【００２５】
「未病クリニック」での検査項目は以下の項目があげられる。  
生活習慣病、メタボリックシンドローム、成人病から引きおこす重病予防が目的となる。
（脳卒中、脳梗塞、心筋梗塞、心不全  ）  
未病とは、生活習慣病予備軍の改善・動脈硬化予防・循環器疾患予防とも定義できる。
【００２６】
生活習慣病との境界線領域は次の通りであり、メタボリックシンドローム・軽症高血圧・
境界域糖尿病・高脂血症、高尿酸血症・肥満・脂肪肝・Ｂ肝炎・肝炎キャリア・ＨＩＶ陽
性・無症候性脳梗塞など。
また、歯科、口腔に関する検査・チェック項目は、
歯周病・虫歯予防とチェック、未病状態のケア  発生原因のフリラジカル  口腔年齢の調査などがあげられる。  
次に、「未病クリニック」でのケアシステムは、
未病対策集中処理部１を有する未病リサーチスクエアー協会で、未病の測定を行ったうえで、未病状態・生活習慣病などの予備軍や軽度の患者にさまざまなケア方法を施す。
改善には食事と運動、ストレスを貯めないことが重要となるが、その中で食事の改善でかなりケアできる。そこで未病フードを提案しケアに大きく役立てている。
（１）オーダーメードサプリメント
未病の検査を行ったうえで、患者の過去半年の栄養状態を爪によって検査し、オーダーメードのサプリメントを提供する。このサプリメントで食事を補いながら経過視察をし、１ヶ月・３ヶ月・６ヶ月と改善状態を視察しケアに大
きく役立つものと思われる。  また、「未病クリニック」にサプリメントコンシェルジュ（ＮＲ）を配置し食事・栄養・運動指導を行うこともできる。実施している「未病クリニック」では、安全性のない健康食品や市販されているものではないので患者は利用しやすくかつ安心であるとの意見が多い。
生産企業はエビデンスやデータベースも豊富にあり、安全性も高いサプリメントを提供している。このように「未病クリニック」オリジナルサプリメントの生産も可能となっている。
（２）未病食事ケア・指導
生活習慣病や未病状態の生活者は生活環境や食事状態が不安定なことや過剰な食事を摂取していることも少なくない。また、長期の薬物投与は身体にも負担は少なくないために食事指導が特に近年では重要視されている。
そこで、食事指導のデータベースをネット上に形成し、未病クリニックの短答医師と患者が両方で閲覧でき指導も可能なものにしてある。
【００２７】
具体的には食事は朝・昼・晩の３食を３日間。デジタルカメラや携帯カメラで撮影して、インターネットで送信してもらい、それに基づき担当医師が食事指導を行う。
（３）未病食事ケアプラン
宅配食事企業と提携し、患者さんにあった食事を宅配することも可能とされる。未病や生活習慣病は重病ではないが、ケアに時間がかかったりなかなか改善されない。それは食事管理ができない人が多いというのが原因だと言われている。
未病リサーチスクエア協会では未病医療にご協力する「未病クリニック」に、未病医療・指導・ケアの情報をご提供する。また「未病クリニック」のPRやマーケッティングなどのご協力も行う。
未病保険制度
現在の制度に変わるものとして、民間保険会社による「未病保険」を設立する。そして、これによりさらなる疾病予防と医療費の軽減に努める。
被保険者は定期的に未病健診の受診や未病クリニックによる２４時間診療などの医療制度、未病に関する各種情報を通信回線網、インターネット１７を介して保険会社（未病指導士のセールスレディの通信端末など）から受け取ることができる。
【図面の簡単な説明】
【００２８】
【図１】本発明による構成を説明する概略構成説明図である。
【図２】本発明による未病対策集中処理部と未病クリニックとの送受信関係を説明する説明図である。
【図３】本発明による未病対策集中処理部などの概略構成を説明する構成説明図である。
【図４】本発明の応用例を説明する説明図である。
【符号の説明】
【００２９】
１      未病対策集中処理部
２      未病情報
３      未病情報生成部
４      未病情報送受信部
５      未病治療運営システム構築部
７      健康製品情報送受信端末
８      健康食品情報送受信端末
９      未病クリニック用端末
１０    未病認定部用端末
１１    送信部
１２    発信部
１３    制御部
１４    記録保存部
１５    表示部
１６    入力部
１７    通信回線網、インターネット
【図１】
2007172309.tif 000003
【図２】
2007172309.tif 000004
【図３】
2007172309.tif 000005
【図４】
2007172309.tif 000006